(57)【要約】【課題】操作対象機器に応じた好適な操作を可能とする操作入力装置及び操作入力方法の提供を目的とする。【解決手段】  本実施形態の操作入力装置は、選択手段と、表示手段と、タッチパネルと、通信手段とを備える。選択手段は、１以上の外部機器のうち操作対象となる操作対象機器を選択する。表示手段は、複数種類の操作画面のうち、選択された操作対象機器に応じた操作画面を表示する。タッチパネルは、表示手段を覆い、操作画面に対する操作入力を受け付ける。通信手段は、選択手段による選択に応じて、操作対象機器との通信接続を確立し、操作入力に応じた操作信号を当該操作対象機器に送信する。【選択図】図４
2014010720.tif 000002
【特許請求の範囲】
【請求項１】
１以上の外部機器のうち操作対象となる操作対象機器を選択する選択手段と、
複数種類の操作画面のうち、選択された前記操作対象機器に応じた操作画面を表示する
表示手段と、
前記表示手段を覆い、前記操作画面に対する操作入力を受け付けるタッチパネルと、
前記選択手段による選択に応じて、前記操作対象機器との通信接続を確立し、前記操作
入力に応じた操作信号を当該操作対象機器に送信する通信手段と、
を備える操作入力装置。
【請求項２】
外部機器から、当該外部機器がサポートする入力機能に関する機能情報を受信する受信
手段を更に備え、
前記表示手段は、前記操作入力装置がサポートする入力機能のうち前記機能情報が示す
入力機能に対応した前記操作画面を表示する、請求項１記載の操作入力装置。
【請求項３】
前記選択手段は、複数の外部機器のうち前記操作対象機器を選択し、
前記表示手段は、選択された前記操作対象機器に応じて異なる種類の操作画面を表示す
る、請求項２記載の操作入力装置。
【請求項４】
前記表示手段は、１つの操作対象機器に対して複数種類の操作画面を切り替えて表示す
る、請求項３記載の操作入力装置。
【請求項５】
前記通信手段は、前記操作対象機器から、当該操作対象機器が実行しているアプリケー
ションに関する実行情報を受信し、
前記表示手段は、複数種類の操作画面のうち前記実行情報に応じた操作画面を表示する
、請求項２記載の操作入力装置。
【請求項６】
前記操作入力装置に関する方向を検出する検出手段を更に備え、
前記選択手段は、前記検出手段により検出された方向に応じて前記操作対象機器を選択
する、請求項１乃至５の何れか一つに記載の操作入力装置。
【請求項７】
前記表示手段は、前記操作対象機器を選択するために必要となる動作を示す画像を表示
する、請求項６記載の操作入力装置。
【請求項８】
前記タッチパネルは、前記操作対象機器を選択する選択入力を受け付け、
前記選択手段は、前記タッチパネルが受け付けた前記選択入力に応じた前記操作対象機
器を選択する、請求項１乃至５の何れか一つに記載の操作入力装置。
【請求項９】
表示画面と当該表示画面を覆ったタッチパネルとを備える操作入力装置における操作入
力方法であって、
１以上の外部機器のうち操作対象となる操作対象機器を選択することと、
複数種類の操作画面のうち、選択された前記操作対象機器に応じた操作画面を前記表示
画面に表示することと、
前記操作画面に対する操作入力を受け付けることと、
前記操作対象機器の選択に応じて前記操作対象機器との通信接続を確立し、前記操作入
力に応じた操作信号を当該操作対象機器に送信することと、
を備える操作入力方法。 
【発明の詳細な説明】
【技術分野】
【０００１】
本発明の実施形態は、操作入力装置及び操作入力方法に関する。
【背景技術】
【０００２】
一つの入力デバイスを用いて複数機器を操作する技術がある。例えば、一つのマウスを
用いて複数のＰＣを操作する技術等である。
【先行技術文献】
【特許文献】
【０００３】
【特許文献１】特開２０１１−０１３８５４号公報
【発明の概要】
【発明が解決しようとする課題】
【０００４】
ここで、一つの入力デバイスを用いて複数の機器を操作する場合、操作対象の機器に応
じた好適な操作ができることが好ましい。
【０００５】
そこで本発明の実施形態は、操作対象機器に応じた好適な操作を可能とする操作入力装
置及び操作入力方法の提供を目的とする。
【課題を解決するための手段】
【０００６】
上記の課題を解決するために、本実施形態の操作入力装置は、選択手段と、表示手段と
、タッチパネルと、通信手段とを備える。選択手段は、１以上の外部機器のうち操作対象
となる操作対象機器を選択する。表示手段は、複数種類の操作画面のうち、選択された操
作対象機器に応じた操作画面を表示する。タッチパネルは、表示手段を覆い、操作画面に
対する操作入力を受け付ける。通信手段は、選択手段による選択に応じて、操作対象機器
との通信接続を確立し、操作入力に応じた操作信号を当該操作対象機器に送信する。
【図面の簡単な説明】
【０００７】
【図１】実施形態の操作入力装置の利用形態例を示す図。
【図２】実施形態の操作入力装置及び操作対象機器のシステム構成例を示す図。
【図３】実施形態の操作入力装置が表示する画面例を示す図。
【図４】実施形態の操作入力装置及び操作対象機器による処理シーケンス例を示す図。
【発明を実施するための形態】
【０００８】
以下、図面を参照して本発明の実施形態を説明する。
【０００９】
図１は、本実施形態に係る操作入力装置の利用形態を示す概略図である。本実施形態に
おいて操作入力装置は例えば携帯端末１００として実現され、操作対象機器は例えばパー
ソナルコンピュータ（ＰＣ）２００及びデジタルテレビ（ＴＶ）３００として実現されて
いる。ここで、携帯端末１００は、タッチパネル等の操作入力部１０１ａと表示部１０１
ｂとを備え、表示部１０１ｂに表示した操作画面に対する操作入力を操作入力部１０１ａ
が受け付け、当該操作入力に応じた操作信号を無線通信によりＰＣ２００やＴＶ３００に
送信する。そしてＰＣ２００及びＴＶ３００は、受信した操作信号に応じて自機器の動作
を制御する。
【００１０】
図２は、携帯端末１００、ＰＣ２００及びＴＶ３００のシステム構成例を示す図である
。
【００１１】
携帯端末１００は、操作入力部１０１ａ、表示部１０１ｂ、方向検出部１０２、制御部
１０３、通信部１０４及び映像処理部１０５等を備える。操作入力部１０１ａは例えば表
示部１０１ｂを覆ったタッチパネル等の入力デバイスであり、操作入力部１０１ａに対し
て接触又は近接する操作入力（以下、タッチ操作とする）を受け付ける。
【００１２】
方向検出部１０２は、例えばジャイロセンサ、加速度センサ、重力センサ、或いは地磁
気センサ等のセンサデバイスであり、携帯端末１００本体の向いている方向に関するパラ
メータを検出する。
【００１３】
制御部１０３は携帯端末１００の各構成を制御する機能を有する（制御用の信号伝送ラ
インは不図示）。また制御部１０３は、ＰＣ２００やＴＶ３００に対する操作入力を受け
付けるための操作画面を生成して表示部１０１ｂに表示させる機能を有する。そして制御
部１０３は、当該操作画面に対する操作入力を操作入力部１０１ａが受け付けると、当該
操作入力に応じた操作信号を通信部１０４を用いてＰＣ２００やＴＶ３００に送信する。
ここで制御部１０３は、ユーザの指示や方向検出部１０２が検出した方向に応じた操作画
面を生成する機能や、表示中の操作画面に応じた指示を通信部１０４に行い、操作画面に
応じた外部機器と通信接続を確立させる機能も有している。
【００１４】
通信部１０４は、制御部１０３の制御の元でＰＣ２００やＴＶ３００との通信を行い、
操作信号等の各種の制御信号を送信する。なお本実施形態においては、通信部１０４が例
えばＢｌｕｅｔｏｏｔｈ（登録商標）のＨＩＤプロファイルに従った通信を行うとして説
明するが、通信部１０４はＢｌｕｅｔｏｏｔｈ（登録商標）の他のプロファイル（ＡＶＲ
ＣＰプロファイル等）や、或いは他の通信規格に従った通信を行っても構わない。
【００１５】
映像処理部１０５は、制御部１０３が生成した操作画面を、表示部１０１ｂが表示可能
な形式の映像信号に変換する。そして表示部１０１ｂは当該映像信号を用いて操作画面の
映像を表示する。
【００１６】
次にＰＣ２００を説明する。ＰＣ２００は、操作入力部２０１ａ、表示部２０１ｂ、制
御部２０２、通信部２０３及び映像処理部２０４等を備える。操作入力部２０１ａは例え
ば表示部２０１ｂを覆ったタッチパネル等の入力デバイスであり、操作入力部２０１ａに
対するタッチ操作を受け付ける。また操作入力部２０１ａは、キーボードやマウスデバイ
スに対する操作入力も受け付ける。
【００１７】
制御部２０２はＰＣ２００の各構成を制御する機能を有する（制御用の信号伝送ライン
は不図示）。また制御部２０２は、操作入力部２０１ａが受け付けた操作入力や、通信部
２０３が受信した操作信号に応じた各種画面を生成する。即ち、これらの操作入力／操作
信号に応じて画面を遷移させたり、カーソル画像を移動させたり、入力文字を新たに表示
させたりする。
【００１８】
通信部２０３は、携帯端末１００の通信部１０４との通信を行い、携帯端末１００から
送信された各種制御信号を受信し、当該信号を制御部２０２に出力する。
【００１９】
映像処理部２０４は、制御部２０２が生成した各種画面を、表示部２０１ｂが表示可能
な形式の映像信号に変換する。そして表示部２０１ｂは当該映像信号を用いて各種画面の
映像を表示する。
【００２０】
次にＴＶ３００を説明する。ＴＶ３００は、操作入力部３０１、制御部３０２、通信部
３０３、チューナ３０４、映像処理部３０５及び表示部３０６等を備える。操作入力部３
０１は例えばリモートコントローラからの操作信号を受光する受光モジュール等であり、
ユーザからの操作入力を受け付ける。
【００２１】
制御部３０２は、ＴＶ３００の各構成を制御する機能を有する（制御用の信号伝送ライ
ンは不図示）。また制御部３０２は、操作入力部３０１が受け付けた操作入力や通信部３
０３が受信した操作信号に応じて、チューナ３０４に対するチューニング指示を行い、選
局動作を実行する。また制御部３０２は、ユーザからの操作入力部３０１への操作入力や
、携帯端末１００からの通信部３０３への操作信号に応じた各種画面を生成する。即ち、
これらの操作入力／操作信号に応じて画面を遷移させたり、カーソル画像を移動させたり
、入力文字を新たに表示させたりする。
【００２２】
通信部３０３は、携帯端末１００の通信部１０４との通信を行い、携帯端末１００から
送信された各種制御信号を受信し、当該信号を制御部３０２に出力する。
【００２３】
チューナ３０４は地上波デジタルやＢＳ／ＣＳデジタルの放送信号を受信する。そして
映像処理部３０５は、チューナ３０４が受信した放送信号を復調及び復号し、復号信号を
変換して表示部３０６が表示可能な形式の映像信号を生成する。また映像処理部３０５は
、制御部３０２が生成した各種画面についても映像信号に変換する。そして表示部３０６
は、これら映像信号を用いて放送映像や各種画面の映像を表示する。
【００２４】
図３は、携帯端末１００が表示する操作画面の例を示す。図３（Ａ）に示す操作画面Ｐ
１０では、アイコン（選択用画像）Ｐ１１乃至Ｐ１２が表示されている。ここでアイコン
Ｐ１１は、携帯端末１００をＰＣ２００のキーボードとして利用するためのアイコンであ
る。制御部１０３は、操作入力部１０１ａが当該アイコンＰ１１に対するタッチ操作を受
けると、ＰＣ２００を操作対象機器として選択し、通信部１０４を用いてＰＣ２００との
通信接続を確立するとともに図３（Ｂ）の画面を表示させる。アイコンＰ１２は、携帯端
末１００をＰＣ２００のタッチパッドとして利用するためのアイコンである、携帯端末１
００は、当該アイコンＰ１２に対するタッチ操作を受けると、ＰＣ２００との通信接続を
確立するとともに図３（Ｃ）の画面を表示する。アイコンＰ１３は、携帯端末１００をＴ
Ｖ３００のリモートコントローラとして利用するためのアイコンである。携帯端末１００
は、当該アイコンＰ１３に対するタッチ操作を受けると、ＴＶ３００との通信接続を確立
するとともに図３（Ｄ）の画面を表示する。なお携帯端末１００は、ＯＳのデスクトップ
画面にリモコンアプリケーションのアイコンを表示し、当該アイコンへの操作入力を受け
た際に操作画面Ｐ１０を表示しても良いし、或いはデスクトップ画面にアイコンＰ１１乃
至Ｐ１３を表示していても良い。
【００２５】
また、携帯端末１００は、ＰＣ２００及びＴＶ３００を発見しているか否かによりアイ
コンＰ１１乃至Ｐ１３の表示と非表示を切り替えても良い。即ち、通信部１０４から探索
信号を送信してＰＣ２００やＴＶ３００からの応答が無かった場合には、応答がなかった
機器用の操作画面を表示するためのアイコンを表示しなくとも良い。なお当該アイコンの
表示／非表示の切り替えについては、図３（Ｂ）乃至図３（Ｄ）についても同様である。
【００２６】
図３（Ｂ）に示す操作画面Ｐ２０には、アイコンＰ２１乃至Ｐ２３、及びキーボード画
像Ｐ２４が表示される。ここでアイコンＰ２１乃至Ｐ２３は、夫々アイコンＰ１１乃至Ｐ
１３と同様の機能を有する。即ち携帯端末１００は、アイコンＰ２２に対する操作入力を
受けると、ＰＣ２００との通信接続を継続したまま図３（Ｃ）の画面を表示する。また携
帯端末１００は、アイコンＰ２３に対する操作入力を受けると、ＰＣ２００との通信を切
断してＴＶ３００との通信接続を確立するとともに図３（Ｄ）の画面を表示する。またア
イコンＰ２１乃至Ｐ２３の表示形態は、現在表示中の操作画面の種類により異なっていて
も良い。即ち図３（Ｂ）の操作画面Ｐ２０においては、ＰＣ２００用のキーボードの操作
画面が表示されているため、アイコンＰ２１を強調表示し、現在表示していない操作画面
に対応するアイコンＰ２２及びＰ２３はグレーアウトしている。
【００２７】
キーボード画像Ｐ２４は、例えばＱｗｅｒｔｙ配列のキーを配置した画像である。そし
て操作入力部１０１ａが各キーに対する操作入力を受けると、制御部１０３は、そのキー
についてのＨＩＤプロファイルに従ったキーコード（操作信号）を生成し、通信部１０４
を用いてそのキーコードをＰＣ２００に送信する。
【００２８】
また携帯端末１００は、操作画面Ｐ２０の表示中に所定方向への回転が検出された場合
に図３（Ｃ）や図３（Ｄ）の画面への遷移を行っても良い。即ち、例えば、１８０度の回
転が検出された場合には図３（Ｃ）の画面に遷移し、９０度の回転が検出された場合には
ＴＶ３００を操作対象機器として選択して接続し、図３（Ｄ）の画面に遷移しても良い。
この場合、例えばアイコンＰ２２に「Ｔｕｒｎ １８０°」等の文字を表示することによ
り、１８０度回転させればＰＣ２００用のタッチパッド機能が利用できる旨を示しても良
い。同様に、アイコンＰ２３には「Ｔｕｒｎ  ９０°」等の文字が表示されても良い。
【００２９】
図３（Ｃ）に示す操作画面Ｐ３０には、アイコンＰ３１乃至Ｐ３３、及びタッチパッド
画像Ｐ３４が表示される。ここでアイコンＰ３１乃至Ｐ３３は、夫々アイコンＰ１１乃至
Ｐ１３と同様の機能を有する。即ち携帯端末１００は、アイコンＰ３１に対する操作入力
を受けると、ＰＣ２００との通信接続を継続したまま図３（Ｂ）の画面を表示する。また
携帯端末１００は、アイコンＰ３３に対する操作入力を受けると、ＰＣ２００との通信を
切断してＴＶ３００との通信接続を確立するとともに図３（Ｄ）の画面を表示する。
【００３０】
タッチパッド画像Ｐ３４は、当該画像の領域をタッチパッドとして利用するためのもの
であり、操作入力部１０１ａがタッチパッド画像上への操作入力を受けると、制御部１０
３は、その操作入力についてのＨＩＤプロファイルに従った座標信号（操作信号）を生成
し、通信部１０４を用いてその座標信号をＰＣ２００に送信する。
【００３１】
また携帯端末１００は、操作画面Ｐ３０の表示中に、例えば、１８０度の回転が検出さ
れた場合には図３（Ｂ）の画面に遷移し、９０度の回転が検出された場合にはＴＶ３００
と接続して図３（Ｄ）の画面に遷移しても良い。そして、アイコンＰ２１に「Ｔｕｒｎ 
１８０°」等の文字を表示し、アイコンＰ３３に「Ｔｕｒｎ  ９０°」等の文字を表示し
ても良い。
【００３２】
図３（Ｄ）に示す操作画面Ｐ４０には、アイコンＰ４１乃至Ｐ４３、及びリモートコン
トローラ画像Ｐ４４が表示される。ここでアイコンＰ４１乃至Ｐ４３は、夫々アイコンＰ
１１乃至Ｐ１３と同様の機能を有する。即ち携帯端末１００は、アイコンＰ４１に対する
操作入力を受けると、ＴＶ３００との通信接続を切断してＰＣ２００との通信を確立する
とともに図３（Ｂ）の画面を表示する。また携帯端末１００は、アイコンＰ４２に対する
操作入力を受けると、ＴＶ３００との通信を切断してＰＣ２００との通信接続を確立する
とともに図３（Ｃ）の画面を表示する。
【００３３】
リモートコントローラ画像Ｐ４４は、ＴＶ３００を操作するためのリモートコントロー
ラの各リモコンキーに対応するキーが配置される。そして操作入力部１０１ａが各リモコ
ンキーに対する操作入力を受けると、制御部１０３は、そのキーについてのＨＩＤプロフ
ァイルに従ったリモコンコマンド（操作信号）を生成し、通信部１０４を用いてそのリモ
コンコマンドをＰＣ２００に送信する。
【００３４】
また携帯端末１００は、操作画面Ｐ４０の表示中に、例えば、右９０度の回転が検出さ
れた場合にはＰＣ２００と接続して図３（Ｂ）の画面に遷移し、左９０度の回転が検出さ
れた場合にはＰＣ２００と接続して図３（Ｃ）の画面に遷移しても良い。そして、アイコ
ンＰ４１に「Ｔｕｒｎ Ｒ９０°」等の文字を表示し、アイコンＰ４２に「Ｔｕｒｎ  Ｌ
９０°」等の文字を表示しても良い。
【００３５】
なお、図３においてはＴＶ３００がキーボード入力機能に対応していない場合を例にし
ているが、ＴＶ３００がキーボード入力機能に対応している場合は、ＰＣ２００に対して
キーボード入力している場合に通信接続先をＴＶ３００に切り替える指示を受けた場合、
キーボード画像Ｐ２４の表示を継続した状態で接続先をＴＶ３００に切り替え、以降のキ
ーコード送信先をＴＶ３００にしても良い。
【００３６】
また、図３においては、キーボード、タッチパッド及びリモートコントローラ等のうち
何れの入力機能を用いるかを選択してＰＣ２００及びＴＶ３００と接続するとして説明し
たが、どの入力機能を用いるかを選択せずに通信接続を確立しても良い。例えばＰＣ２０
０との接続を例にすると、携帯端末１００は、ＰＣ２００を操作対象機器として選択して
接続したのち、ＰＣ２００から現在アクティブになっているアプリケーションの情報を取
得し、当該アクティブアプリケーションに応じた入力機能を有効にしても良い。つまり、
例えばＰＣ２００がメーラーをアクティブにしている場合はキーボード入力機能を有効に
して、ＰＣ２００がドローソフトをアクティブにしている場合はタッチパッド入力機能を
有効にしても良い。
【００３７】
図４は、携帯端末１００、ＰＣ２００及びＴＶ３００による処理シーケンス例を示す図
である。まず携帯端末１００は、自機器が何れの入力デバイスとして機能するかを登録す
る（Ｓ４０１）。即ち携帯端末１００は、外部機器用の入力デバイスを操作する機能とし
て、例えばキーボード、タッチパッド、リモートコントローラ等としての機能を有してい
るか否かを登録する。ＰＣ２００及びＴＶ３００は、Ｃｌａｓｓ  ｏｆ  Ｄｅｖｉｃｅや
ＥＩＲ、Ａｄｖｅｒｔｉｓｉｎｇ等により、自機器がサポートする入力機能を通知する（
Ｓ４０２、Ｓ４０３）。なお、ここではＰＣ２００がキーボード及びタッチパッドでの入
力をサポートし、ＴＶ３００がリモートコントローラでの入力をサポートしているとする
。
【００３８】
またＰＣ２００は、携帯端末１００に対してサポートする入力機能を問合せ（Ｓ４０４
）、携帯端末１００は、自機器がサポートする入力機能（ここではキーボード、タッチパ
ッド、リモートコントローラ）を通知する（Ｓ４０５）。なおＳ４０４〜Ｓ４０５の処理
は例えばＳＤＰ（Ｓｅｒｖｉｃｅ  Ｄｉｓｃｏｖｅｒｙ  Ｐｒｏｔｏｃｏｌ）に沿った手
順で行われる。携帯端末１００とＰＣ２００とはペアリングを実行して互いの機器情報を
交換し（Ｓ４０６、Ｓ４０５）、ペアリングが成功すると互いの機器はリンクキーを生成
して相手機器を登録する（Ｓ４０８、Ｓ４０９）。
【００３９】
またＴＶ３００は、携帯端末１００に対してサポートする入力機能を問合せ（Ｓ４１０
）、携帯端末１００は、自機器がサポートする入力機能（ここではキーボード、タッチパ
ッド、リモートコントローラ）を通知する（Ｓ４１１）。携帯端末１００とＴＶ３００と
はペアリングを実行して互いの機器情報を交換し（Ｓ４１２、Ｓ４１３）、ペアリングが
成功すると互いの機器はリンクキーを生成して相手機器を登録する（Ｓ４１４、Ｓ４１５
）。
【００４０】
ここで携帯端末１００は、例えば操作画面Ｐ１０等を表示して、何れの操作画面を表示
するかをユーザに問い合わせる。そして携帯端末１００は、ＰＣ２００に対するキーボー
ド操作の指定を受けた場合（Ｓ４１６）、ＰＣ２００との接続処理を行い（Ｓ４１７、Ｓ
４１８）、操作画面Ｐ２０を表示してキーボード機能を有効にする（Ｓ４１９）。ここで
携帯端末１００は、操作画面Ｐ２０のキーボード画像Ｐ２４に対する操作入力に応じたキ
ーをＰＣ２００に送信し（Ｓ４２０）、ＰＣ２００は当該キーに応じた処理を実行する。
【００４１】
次に携帯端末１００がＰＣ２００へのタッチパッド操作の指定を受けた場合（Ｓ４２１
）、携帯端末１００は操作画面Ｐ３０を表示してタッチパッド入力機能を有効にする（Ｓ
４２２）。なお、タッチパッド操作の指定を受けた場合とは、前述のように、例えばアイ
コンＰ２２への操作入力を受けた場合や携帯端末１００の回転を検出した場合等を指す。
そして携帯端末１００は、操作画面Ｐ３０への操作に応じた座標情報をＰＣ２００に送信
する（Ｓ４２３）。
【００４２】
次に携帯端末１００がＴＶ３００へのリモートコントローラ操作の指定を受けた場合（
Ｓ４２４）、ＰＣ２００との通信切断及びＴＶ３００との通信接続を行ったのち（Ｓ４２
５乃至Ｓ４２８）、携帯端末１００は操作画面Ｐ４０を表示してリモートコントローラ入
力機能を有効にする（Ｓ４２９）。そして携帯端末１００は、操作画面Ｐ４０への操作に
応じたリモコンコマンドをＴＶ３００に送信する（Ｓ４３０）。なお、通信切断及び通信
接続のタイミングと操作画面Ｐ４０の表示タイミングとはこれに限らない。例えば、まず
操作画面Ｐ４０を表示してユーザからの操作受付を開始し、それと並行して通信切断・通
信接続を行っても良い。この場合、ＴＶ３００との接続前に受け付けた操作受付の内容を
記憶しておき、通信接続完了後に当該操作受付の内容に基づいたリモコンコマンドを送信
しても良い。またこの場合に、ＴＶ３００との接続確立前と後とで操作画面Ｐ４０の表示
態様を異なるものとしても良い。
【００４３】
本発明の実施形態を説明したが、これらの実施形態は、例として提示したものであり、
発明の範囲を限定することは意図していない。これら実施形態は、その他の様々な形態で
実施されることが可能であり、発明の要旨を逸脱しない範囲で、種々の省略、置き換え、
変更を行うことができる。これら実施形態やその変形は、発明の範囲や要旨に含まれると
同様に、特許請求の範囲に記載された発明とその均等の範囲に含まれるものである。
【符号の説明】
【００４４】
１００…携帯端末、１０１ａ…操作入力部、１０１ｂ…表示部、１０２…方向検出部、１
０３…制御部、１０４…通信部、１０５…映像処理部、２００…パーソナルコンピュータ
（ＰＣ）、２０１ａ…操作入力部、２０１ｂ…表示部、２０２…制御部、２０３…通信部
、２０４…映像処理部、３００…デジタルテレビ（ＴＶ）、３０１…操作入力部、３０２
…制御部、３０３…通信部、３０４…チューナ、３０５…映像処理部、３０６…表示部
【図１】
2014010720.tif 000003
【図２】
2014010720.tif 000004
【図３】
2014010720.tif 000005
【図４】
2014010720.tif 000006